(57)【要約】【課題】エレベーターの塔屋ユニットの中から上下ユニットの位置合わせやボルト接合が簡便であり、また、外壁材を予め固着しておけば、足場組み等の外壁材の外部作業が不要となり、作業効率が向上するエレベーターの塔屋ユニットの接合構造を提供する。【解決手段】エレベーターの塔屋ユニットの接合構造は、１階分の木質系や鉄骨系の柱１を隅部に立設して柱１の上下を横架材２で固着した塔屋ユニット３を順番に段積固着して階数を増加させるエレベーターの塔屋ユニットの接合構造において、塔屋ユニット本体４の柱１の上下端部にＬ字型鋼５の垂直片６ａ、６ｂ同士が積載時に面接するようにしてボルト７をナット８で締結するものである。【選択図】        図１
2004168481.tif 000002
【特許請求の範囲】
【請求項１】
１階分の柱を隅部に立設して柱の上下を横架材で固着した塔屋ユニットを順番に段積固着して階数を増加させるエレベーターの塔屋ユニットの接合構造において、塔屋ユニット本体の柱の上下端部にＬ字型鋼の垂直片同士が積載時に面接するようにしてボルトナットで締結することを特徴とするエレベーターの塔屋ユニットの接合構造。
【請求項２】
上記塔屋ユニット本体の柱の上下端部に配設されるＬ字型鋼が、柱の上端部の略中央にＬ字状の垂直片が位置され、柱の下端部の略中央に逆Ｌ字状の垂直片が位置されようにして相対向する垂直片同士をボルトナットで締結することを特徴とする請求項１記載のエレベーターの塔屋ユニットの接合構造。
【請求項３】
上記塔屋ユニット本体の柱の上下端部に設けられるＬ字型鋼の水平片が水平位置の微調整が可能なように長孔とすることを特徴とする請求項１又は請求項２記載のエレベーターの塔屋ユニットの接合構造。
【請求項４】
上記塔屋ユニット本体の柱の下端部の横架材に床板を固着することを特徴とする請求項１乃至請求項３記載のいずれか１項に記載のエレベーターの塔屋ユニットの接合構造。
【請求項５】
上記塔屋ユニット本体の柱の外側面に外壁材を固着することを特徴とする請求項１乃至請求項４記載のいずれか１項に記載のエレベーターの塔屋ユニットの接合構造。
【発明の詳細な説明】
【０００１】
【発明の属する技術分野】
本発明は、マンション等の建物の外側側方に構築して、複数階への昇り降りが簡単に外付けで施工することのできるエレベーターの塔屋ユニットの接合構造に関するものである。
【０００２】
【従来の技術】
従来からエレベーターの塔屋の構造で、出入り口を備え且つ出入り口に通じる通路用床を一体に形成したエレベーター用塔屋基本ユニット、最下部に配置される出入り口を備えたエレベーター用塔屋下部ユニット、最上部に配置される出入り口を備えたエレベーター用塔屋上段ユニット、出入り口がなく且つ庇部を一体に形成したエレベーター用塔屋副ユニット等の複数種類のものが現場で、ボルトが螺合されるナットが予め工場においてＨ型鋼に溶接されているものがある。
【０００３】
これらのユニットを上下にボルトナットで連結して、エレベーター用塔屋ユニットの柱を上下方向に連結することで、エレベーター用塔屋ユニットの柱を上下方向に連続一体化するものがある。（例えば、特許文献１参照）
【０００４】
【特許文献１】
特開２００１−３０２１３７号公報（第１−３頁、図７、図１２、図１４）
【０００５】
このように、エレベーター用塔屋ユニットの柱を上下方向に連続一体化するものにあっては、ユニットを上下にボルトナットで螺合するので上下のエレベーター用塔屋ユニットの微調整が難しく位置合わせが困難であった。そのために、現場工期が長くなり、工事中の安全確保が必要であった。また、外壁材を柱に予め固着したエレベーター用塔屋ユニットではないので足場組み等の外壁材の外部作業が必要となり、作業効率の悪いものであった。また、上部に載置するエレベーター用塔屋ユニットをクレーンで吊り上げて位置あわせするための補助員がエレベーター用塔屋ユニットの内部と外部に必要であり、施工手間のかかるものであった。
【０００６】
【発明が解決しようとする課題】
本発明は上記問題点の解決を目的とするものであり、エレベーターの塔屋ユニットの中から上下ユニットの位置合わせやボルト接合が簡便であり、また、外壁材を予め固着しておけば、足場組み等の外壁材の外部作業が不要となり、作業効率が向上するエレベーターの塔屋ユニットの接合構造を提供するものである。
【０００７】
【課題を解決するための手段】
本発明の請求項１記載のエレベーターの塔屋ユニットの接合構造は、１階分の柱を隅部に立設して柱の上下を横架材で固着した塔屋ユニットを順番に段積固着して階数を増加させるエレベーターの塔屋ユニットの接合構造において、塔屋ユニット本体の柱の上下端部にＬ字型鋼の垂直片同士が積載時に面接するようにしてボルトナットで締結することを特徴とするものである。
【０００８】
したがって、上下に積載する塔屋ユニットの位置合わせやボルト接合が簡便であり、塔屋ユニット内での作業が可能となる。
【０００９】
本発明の請求項２記載のエレベーターの塔屋ユニットの接合構造は、請求項１記載の塔屋ユニット本体の柱の上下端部に配設されるＬ字型鋼が、柱の上端部の略中央にＬ字状の垂直片が位置され、柱の下端部の略中央に逆Ｌ字状の垂直片が位置されようにして相対向する垂直片同士をボルトナットで締結することを特徴とするものである。
【００１０】
したがって、上段のエレベーターの塔屋ユニットの積載荷重が下段のエレベーターの塔屋ユニットに加わるので、柱の中央に荷重が伝達され、耐震性が向上する。
【００１１】
本発明の請求項３記載のエレベーターの塔屋ユニットの接合構造は、請求項１又は請求項２記載の塔屋ユニット本体の柱の上下端部に設けられるＬ字型鋼の水平片が水平位置の微調整が可能なように長孔とすることを特徴とするものである。
【００１２】
したがって、上部に位置するエレベーターの塔屋ユニットをＬ字型鋼を左右に移動することで簡単に位置合わせが可能となる。
【００１３】
本発明の請求項４記載のエレベーターの塔屋ユニットの接合構造は、請求項１乃至請求項３のいずれか１項に記載された塔屋ユニット本体の柱の下端部の横架材に床板を固着することを特徴とするものである。
【００１４】
したがって、予めエレベーターの塔屋ユニットに横目地の床板を固着することで、上からの取付作業中の落下物を防禦することが可能であり、塔屋ユニット内からのボルトナットの締結作業が可能である。
【００１５】
本発明の請求項５記載のエレベーターの塔屋ユニットの接合構造は、請求項１乃至請求項４のいずれか１項に記載された塔屋ユニット本体の柱の外側面に外壁材を固着することを特徴とするものである。
【００１６】
したがって、予めエレベーターの塔屋ユニットに外壁材を固着しているので、足場組み等や外壁材の取付け外部作業が不要となり、作業効率が向上する。
【００１７】
【発明の実施の形態】
図１乃至図７に示したように、本発明の実施形態に係わるエレベーターの塔屋ユニットの接合構造であって、以下に説明する。
【００１８】
本発明のエレベーターの塔屋ユニットの接合構造は、１階分の木質系や鉄骨系の柱１を隅部に立設して柱１の上下を横架材２で固着した塔屋ユニット３を順番に段積固着して階数を増加させるエレベーターの塔屋ユニットの接合構造において、塔屋ユニット本体４の柱１の上下端部にＬ字型鋼５の垂直片６ａ、６ｂ同士が積載時に面接するようにしてボルト７をナット８で締結するものである。
【００１９】
このとき塔屋ユニット本体４の柱１の上下端部に配設されるＬ字型鋼５ａ、５ｂが、柱１の上端部の略中央にＬ字状の垂直片６ａが位置され、柱の下端部の略中央に逆Ｌ字状の垂直片６ｂが位置されようにして相対向する垂直片６ａ、６ｂ同士をボルト７とナット８で締結するようにしたものである。
【００２０】
このようにすることで、上段のエレベーターの塔屋ユニット３ａの積載荷重が下段のエレベーターの塔屋ユニット３ｂに加わるので、柱１の中央に荷重が伝達されるので、曲げ強度が強くなり耐震性が向上する。
【００２１】
また、上段のエレベーターの塔屋ユニット３ａを下段のエレベーターの塔屋ユニット３ｂに積載する際に、塔屋ユニット本体４の柱１の上下端部に設けられるＬ字型鋼５ａ、５ｂの水平片９が水平位置の微調整が可能なように長孔１０を設けることで、下段に位置するエレベーターの塔屋ユニット３ｂの上方のＬ字型鋼５ａを左右に移動することで簡単に位置合わせが可能となる。
【００２２】
さらに、予め塔屋ユニット本体４の柱１の下端部の横架材２ｂに床板１１を溶接やボルトとナットで固着することで、上からの取付作業中の落下物を防禦することが可能であり、塔屋ユニット３内からのボルトナット７，８の締結作業が簡単にできる。
【００２３】
さらにまた、予めエレベーターの塔屋ユニット本体４の柱１の外側面に外壁材１２を溶接やボルトとナットで固着しているので、足場組み等や外壁材１２の取付け外部作業が不要となり、作業効率が向上する。
【００２４】
以下、本発明の一実施例に係わるエレベーターの塔屋ユニットの接合構造について、図１乃至図７に基づいて詳述する。
【００２５】
図１乃至図５において、集合住宅等の１階分のＨ型鋼からなる鉄骨系の柱１を四周の隅部に立設して柱１の上下を横架材２ａ、２ｂで溶接やボルトナットの締結により固着したエレベーターの塔屋ユニット３ａ、３ｂ、３ｃのように所望の階数用意する。このとき、これらのエレベーターの塔屋ユニット３ａ、３ｂ、３ｃには、塔屋ユニット本体４ａ、４ｂ、４ｃの柱１の上端部と下端部にＬ字型鋼５ａ、５ｂの垂直片６ａ、６ｂ同士が積載時に面接するようにして固定されている。そして、これらのエレベーターの塔屋ユニット３ａ、３ｂの接合構造は、まず下段のエレベーターの塔屋ユニット３ｂを配設し、この下段のエレベーターの塔屋ユニット３ｂ上にエレベーターの塔屋ユニット３ｂをクレーンで持ち上げて積載する。このようにして順番に段積固着して階数を増加させて施工する。
【００２６】
そして、エレベーターの塔屋ユニットの接合構造において、塔屋ユニット本体４の柱１の上下端部にＬ字型鋼５の垂直片６ａ、６ｂ同士が積載時に面接するようにしてボルト７をナット８で締結するものである。
【００２７】
このとき塔屋ユニット本体４の柱１の上下端部に配設されるＬ字型鋼５ａ、５ｂが、柱１の上端部の略中央にＬ字状の垂直片６ａが位置され、柱の下端部の略中央に逆Ｌ字状の垂直片６ｂが位置されようにして相対向する垂直片６ａ、６ｂ同士を塔屋ユニット３ｂの中からボルト７とナット８で締結するようにしたものである。尚、１３は柱１と横架材２とを緊張するターンバックルである。また、エレベーターの塔屋ユニットとして、出入り口を備え且つ出入り口に通じる通路用床を一体に形成したエレベーター用塔屋基本ユニット、最下部に配置される出入り口を備えたエレベーター用塔屋下部ユニット、最上部に配置される出入り口を備えたエレベーター用塔屋上段ユニット、出入り口がなく且つ庇部を一体に形成したエレベーター用塔屋副ユニット等の複数種類のものが現場で組み合わせれば良いものである。
【００２８】
このようにすることで、図３及び図４に示したように上段のエレベーターの塔屋ユニット３ａの積載荷重が下段のエレベーターの塔屋ユニット３ｂに加わるので、柱１の中央に荷重が伝達されるので、曲げ強度が強くなり耐震性が向上するものである。
【００２９】
また、上段のエレベーターの塔屋ユニット３ａを下段のエレベーターの塔屋ユニット３ｂに積載する際に、塔屋ユニット本体４の柱１の上下端部に設けられるＬ字型鋼５ａ、５ｂの水平片９が水平位置の微調整が可能なように長孔１０を設けることで、下段に位置するエレベーターの塔屋ユニット３ｂの上方のＬ字型鋼５ａを左右に移動することで簡単に位置合わせが可能となる。
【００３０】
さらに、図５のように、予め塔屋ユニット本体４の柱１の下端部の横架材２ｂに鉄やアルミニウム製の金属製や木質系の床板１１を溶接やボルトとナットで固着することで、上からの取付作業中の落下物を防禦することが可能であり、塔屋ユニット３内からのボルトナット７，８の締結作業が簡単にできるようになる。
【００３１】
さらにまた、図６に示したように、予めエレベーターの塔屋ユニット本体４の柱１の外側面にセメントやカルシウム板等の窯業系、焼き杉、合板等の木質系、鉄、アルミニウム製等の金属系の外壁材１２を溶接やボルトとナット、ビス等で固着しているので、足場組み等や外壁材１２の取付け外部作業が不要となり、作業効率が向上する。
【００３２】
また、図７に示したように、塔屋ユニット本体４の柱１の下端部の横架材２ｂにセメントやカルシウム板等の窯業系、焼き杉、合板等の木質系、鉄、アルミニウム製等の床板１１を予め固着することによって、上からの取付作業中の落下物を防禦することが可能であり、塔屋ユニット内からのボルトナットの締結作業が可能となる。
【００３３】
【発明の効果】
上述の如く、本発明の請求項１記載のエレベーターの塔屋ユニットの接合構造は、１階分の柱を隅部に立設して柱の上下を横架材で固着した塔屋ユニットを順番に段積固着して階数を増加させるエレベーターの塔屋ユニットの接合構造において、塔屋ユニット本体の柱の上下端部にＬ字型鋼の垂直片同士が積載時に面接するようにしてボルトナットで締結しているので、上下に積載する塔屋ユニットの位置合わせやボルト接合が簡便であり、塔屋ユニット内での作業が可能となる。
【００３４】
本発明の請求項２記載のエレベーターの塔屋ユニットの接合構造は、塔屋ユニット本体の柱の上下端部に配設されるＬ字型鋼が、柱の上端部の略中央にＬ字状の垂直片が位置され、柱の下端部の略中央に逆Ｌ字状の垂直片が位置されようにして相対向する垂直片同士をボルトナットで締結しているので、上段のエレベーターの塔屋ユニットの積載荷重が下段のエレベーターの塔屋ユニットに加わるので、柱の中央に荷重が伝達され、耐震性が向上する。
【００３５】
本発明の請求項３記載のエレベーターの塔屋ユニットの接合構造は、塔屋ユニット本体の柱の上下端部に設けられるＬ字型鋼の水平片が水平位置の微調整が可能なように長孔とすることにより、上部に位置するエレベーターの塔屋ユニットをＬ字型鋼を左右に移動することで簡単に位置合わせが可能となる。
【００３６】
本発明の請求項４記載のエレベーターの塔屋ユニットの接合構造は、塔屋ユニット本体の柱の下端部の横架材に床板を固着しているので、予めエレベーターの塔屋ユニットに横目地の床板を固着することで、上からの取付作業中の落下物を防禦することが可能であり、塔屋ユニット内からのボルトナットの締結作業が可能である。
【００３７】
本発明の請求項５記載のエレベーターの塔屋ユニットの接合構造は、予め塔屋ユニット本体の柱の外側面に外壁材を固着することで、足場組み等や外壁材の取付け外部作業が不要となり、作業効率が向上する。
【図面の簡単な説明】
【図１】本発明の一実施例に係わるエレベーターの塔屋ユニットを示す要部の斜視図である。
【図２】本発明の一実施例に係わる図１の上端部に設けられたＬ字型鋼の方向を示す要部のエレベーターの塔屋ユニットの縦断面図である。
【図３】本発明の一実施例に係わるエレベーターの塔屋ユニットを積載した状態を示した縦断面図である。
【図４】本発明の一実施例に係わる上段と下段のエレベーターの塔屋ユニットを接合する状態を示す概略の縦断面図である。
【図５】本発明の一実施例に係わる上段と下段のエレベーターの塔屋ユニットを完全に接合した状態を示す概略の縦断面図である。
【図６】本発明の異なる実施例に係わる外壁材を固着したエレベーターの塔屋ユニットを示す要部の斜視図である。
【図７】本発明の異なる実施例に係わる床材を固着したエレベーターの塔屋ユニットを示す要部の斜視図である。
【符号の説明】
１      柱
２      横架材
３      エレベーターの塔屋ユニット
４      塔屋ユニット本体
５      Ｌ字型鋼
６      垂直片
７      ボルト
８      ナット
９      水平片
１０    長孔
１１    床板
１２    外壁材
１３    ターンバックル
【図１】
2004168481.tif 000003
【図２】
2004168481.tif 000004
【図３】
2004168481.tif 000005
【図４】
2004168481.tif 000006
【図５】
2004168481.tif 000007
【図６】
2004168481.tif 000008
【図７】
2004168481.tif 000009